(57)【要約】【課題】ポップアップ操作に応じてポップアップユニットを収容位置からポップアップ位置まで確実に上昇させることが可能な電子機器のポップアップ機構を提供する。【解決手段】本発明に係る電子機器は、収容位置とポップアップ位置との間で往復移動可能なポップアップユニット４と、ポップアップユニット４を収容位置からポップアップ位置に向けて付勢する付勢手段と、ポップアップユニット４を収容位置にロックするロック機構と、ロック機構によるロックを解除する際に操作すべきポップアップ操作部20とを具えている。該電子機器のポップアップ機構においては、ポップアップ操作部20を具えたスライド部材５が往復移動可能に配備され、該スライド部材５には、ポップアップ操作部20のロック解除操作によるスライド部材５の移動に伴ってポップアップユニット４をポップアップ位置に向けて押圧するポップアップ補助片53が設けられている。【選択図】図１２
2014044352.tif 000002
【特許請求の範囲】
【請求項１】
機器本体と、機器本体に収容された収容位置と機器本体から突出したポップアップ位置との間で往復移動可能に配備されたポップアップユニットと、該ポップアップユニットを収容位置からポップアップ位置に向けて付勢する付勢手段と、該ポップアップユニットを収容位置にロックするロック機構と、該ロック機構によるロックを解除する際に操作すべきポップアップ操作部とを具えた電子機器において、前記ポップアップ操作部を具えたスライド部材が機器本体に対して往復移動可能に配備され、該スライド部材には、前記ポップアップ操作部のロック解除操作によるスライド部材の移動に伴ってポップアップユニットをポップアップ位置に向けて押圧するポップアップ補助片が設けられていることを特徴とする電子機器のポップアップ機構。
【請求項２】
前記スライド部材と機器本体との間には、スライド部材を前記ポップアップ操作部のロック解除操作の方向とは反対方向に付勢するスプリングが介在している請求項１に記載のポップアップ機構。
【請求項３】
前記ロック機構は、ポップアップユニットに設けられたロック片と、スライド部材に設けられたロック受け止め片とを具え、ポップアップユニットがロック位置に設定された状態でロック受け止め片は前記付勢手段に抗してロック片を受け止め、前記ポップアップ操作部のロック解除操作によりスライド部材が一方向に移動することによって、ロック受け止め片がロック片から離間する請求項２に記載のポップアップ機構。
【請求項４】
前記ポップアップユニットのロック片には、ポップアップユニットの移動方向に対して傾斜するカム面が形成される一方、前記スライド部材のロック受け止め片には、ポップアップユニットがポップアップ位置から収容位置へ押し込まれる過程で前記ロック片のカム面が摺接してスライド部材を前記スプリングの圧縮方向に押圧すべきカム面が形成されている請求項３に記載のポップアップ機構。
【請求項５】
前記ポップアップ補助片にはスライド部材の移動方向に対して傾斜するカム面が形成される一方、前記ポップアップユニットには、前記ポップアップ操作部のロック解除操作によるスライド部材の移動に伴って前記カム面が摺接すべきカム面が形成されている請求項４に記載のポップアップ機構。
【発明の詳細な説明】
【技術分野】
【０００１】
本発明は、カメラのストロボ装置の如く、機器本体に対してポップアップユニットが収容位置とポップアップ位置との間で往復移動可能に配備されている電子機器のポップアップ機構に関するものである。
【背景技術】
【０００２】
従来、ポップアップ式のストロボ装置を具えたカメラにおいては、閃光装置を内蔵したポップアップユニットが、収容位置とポップアップ位置との間で往復移動可能に配備されており、該ポップアップユニットは収容位置からポップアップ位置に向けてバネ付勢されている。
ポップアップユニットは、収容位置ではロック機構によりロックされ、この状態からポップアップ操作部を操作すれば、ロック機構によるロックの解除が可能である(特許文献１、２参照)。
【０００３】
ポップアップ操作部の操作によってロック機構によるロックを解除すると、収容位置のポップアップユニットはバネ付勢によってポップアップ位置まで上昇する。又、ポップアップ位置のポップアップユニットを収容位置に向けて押し込むと、ポップアップユニットは収容位置にてロック機構によりロックされることになる。
【先行技術文献】
【特許文献】
【０００４】
【特許文献１】特開２００１−１８８２８５号公報
【特許文献１】特開２００２−２１４６７６号公報
【発明の概要】
【発明が解決しようとする課題】
【０００５】
しかしながら、従来のポップアップ式のストロボ装置を具えたカメラにおいては、環境温度の変化や落下時の衝撃によるポップアップ機構の変形によって、ポップアップ操作部を操作したとしても、ポップアップユニットはバネ付勢だけでは上昇せず、ストロボ撮影を行なうことが出来ない場合があった。
【０００６】
そこで本発明の目的は、ポップアップ操作部の操作に応じてポップアップユニットを収容位置からポップアップ位置まで確実に上昇させることが可能なポップアップ機構を提供することである。
【課題を解決するための手段】
【０００７】
本発明に係る電子機器は、機器本体と、機器本体に収容された収容位置と機器本体から突出したポップアップ位置との間で往復移動可能に配備されたポップアップユニット(４)と、ポップアップユニット(４)を収容位置からポップアップ位置に向けて付勢する付勢手段と、ポップアップユニット(４)を収容位置にロックするロック機構と、該ロック機構によるロックを解除する際に操作すべきポップアップ操作部(20)とを具えている。
【０００８】
該電子機器のポップアップ機構においては、前記ポップアップ操作部(20)を具えたスライド部材(５)が機器本体に対して往復移動可能に配備され、該スライド部材(５)には、前記ポップアップ操作部(20)のロック解除操作によるスライド部材(５)の移動に伴ってポップアップユニット(４)をポップアップ位置に向けて押圧するポップアップ補助片(53)が設けられている。
【０００９】
上記本発明のポップアップ機構によれば、ポップアップ操作部(20)をロック解除方向に操作すると、スライド部材(５)が一方向に移動し、その過程でロック機構によるポップアップユニット(４)のロックが解除される。
又、ロック解除と同時に若しくはその直後に、スライド部材(５)の前記一方向の移動によって、ポップアップ補助片(53)がポップアップユニット(４)をポップアップ位置に向けて押し上げる。
【００１０】
この結果、ポップアップユニット(４)は、付勢手段による付勢力と上述の押し上げ力の両方の作用を受けて、収容位置からポップアップ位置へ向けて移動を開始し、その後、付勢手段による付勢力のみによってポップアップ位置まで移動することになる。
【００１１】
ポップアップユニット(４)がポップアップ位置へ向けて移動を開始する際、環境温度の変化や落下時の衝撃によるポップアップ機構の変形によって、ポップアップユニット(４)が付勢手段による付勢力だけで移動しない場合でも、ポップアップユニット(４)はポップアップ補助片(53)からの押し上げ力を受けるので、その押し上げ力が付勢手段による付勢力に加わることにより、ポップアップユニット(４)は収容位置からポップアップ位置まで確実に上昇することになる。
【００１２】
具体的態様において、前記スライド部材(５)と機器本体との間には、該スライド部材(５)を前記ポップアップ操作部(20)のロック解除操作の方向とは反対方向に付勢するスプリング(６)が介在している。
該具体的態様によれば、ポップアップ操作部(20)をスプリング(６)の付勢に抗して操作することにより、ロック機構によるポップアップユニット(４)のロックを解除することが出来、その後、ポップアップ操作部(20)から手を離せば、スライド部材(５)がスプリング(６)の付勢によって元の位置に復帰することになる。
【００１３】
更に具体的な態様において、前記ロック機構は、ポップアップユニット(４)に設けられたロック片(42)と、スライド部材(５)に設けられたロック受け止め片(54)とを具え、ポップアップユニット(４)がロック位置に設定された状態でロック受け止め片(54)は前記付勢手段に抗してロック片(42)を受け止め、ポップアップユニット(４)をロック位置にロックする。又、ポップアップ操作部(20)のロック解除操作によりスライド部材(５)が一方向に移動することによって、ロック受け止め片(54)がロック片(42)から離間し、ポップアップユニット(４)のロックが解除される。
【００１４】
更に具体的な構成において、ポップアップユニット(４)のロック片(42)には、ポップアップユニット(４)の移動方向に対して傾斜するカム面(42a)が形成される一方、スライド部材(５)のロック受け止め片(54)には、ポップアップユニット(４)がポップアップ位置から収容位置へ押し込まれる過程で前記ロック片(42)のカム面(42a)が摺接してスライド部材(５)を前記スプリング(６)の圧縮方向に押圧すべきカム面(52a)が形成されている。
【００１５】
該具体的構成によれば、ポップアップユニット(４)をポップアップ位置から収容位置まで押し込むことによって、ポップアップユニット(４)のロック片(42)のカム面(42a)がスライド部材(５)のロック受け止め片(54)のカム面(52a)に摺接して、スライド部材(５)をスプリング(６)の圧縮方向に押圧する。これによってスライド部材(５)がスプリング(６)の圧縮方向に移動し、その結果、ポップアップユニット(４)のロック片(42)がスライド部材(５)のロック受け止め片(54)を通過する。その後、スライド部材(５)がスプリング(６)の付勢によって元の位置に戻り、これによって、ロック受け止め片(54)がロック片(42)を受け止めたロック状態に戻ることになる。
【００１６】
更に具体的な構成において、前記ポップアップ補助片(53)にはスライド部材(５)の移動方向に対して傾斜するカム面(53a)が形成される一方、ポップアップユニット(４)には、前記ポップアップ操作部(20)のロック解除操作によるスライド部材(５)の移動に伴って前記カム面(53a)が摺接すべきカム面(43a)が形成されている。
【００１７】
該具体的構成によれば、ポップアップ操作部(20)をロック解除方向に操作して、スライド部材(５)を一方向に移動させる過程で、ポップアップ補助片(53)のカム面(53a)がポップアップユニット(４)のカム面(43a)に摺接して、そのカム作用によってポップアップユニット(４)をポップアップ位置に向かって押し上げる。この結果、ポップアップユニット(４)が上昇することにより、ポップアップ補助片(53)のカム面(53a)がポップアップユニット(４)のカム面(43a)を通過する。その後、スライド部材(５)はスプリング(６)の付勢によって元の位置に戻ることになる。
【発明の効果】
【００１８】
本発明に係る電子機器のポップアップ機構によれば、環境温度の変化や落下時の衝撃によるポップアップ機構の変形に拘わらず、ポップアップ操作部の操作によってポップアップユニットを収容位置からポップアップ位置まで確実に上昇させることが出来る。
【図面の簡単な説明】
【００１９】
【図１】図１は、本発明の一実施形態であるカメラを前面側から見た斜視図である。
【図２】図２は、該カメラを背面側から見た斜視図である。
【図３】図３は、該カメラのポップアップ操作部を操作したときの状態をカメラの前面側から見た斜視図である。
【図４】図４は、該カメラのポップアップ操作部を操作したときの状態をカメラの背面側から見た斜視図である。
【図５】図５は、ストロボ装置の斜視図である。
【図６】図６は、図５とは異なる方向から見たストロボ装置の斜視図である。
【図７】図７は、図５に対応するストロボ装置の分解斜視図である。
【図８】図８は、図６に対応するストロボ装置の分解斜視図である。
【図９】図９は、ストロボ装置のロック解除動作の第１段階を説明する図である。
【図１０】図１０は、ストロボ装置のロック解除動作の第２段階を説明する図である。
【図１１】図１１は、ストロボ装置のロック解除動作の第３段階を説明する図である。
【図１２】図１２は、ストロボ装置のロック解除動作の第４段階を説明する図である。
【発明を実施するための形態】
【００２０】
以下、本発明をカメラに実施した形態につき、図面に沿って具体的に説明する。
本発明の一実施形態であるカメラにおいては、図１〜図４に示す如く、筐体(１)の前面に撮影レンズ(10)を具えると共に、筐体(１)の上面にシャッター釦(12)を具えている。
尚、以下の説明では、図２に示す如く筐体(１)の背面側から見て右方を単に右方、左方を単に左方と記述する。
【００２１】
筐体(１)には、ストロボ撮影を行なうためのストロボ装置(２)が配備されている。ストロボ装置(２)は、図５及び図６に示す如く前ケース半体(31)と後ケース半体(32)からなる保持ケース(３)を具え、該保持ケース(３)の内部に、閃光装置(図示省略)を内蔵したポップアップユニット(４)が昇降可能に配備されている。
【００２２】
図２に示す如く筐体(１)の背面にはポップアップ操作部(20)が配備されており、図４に示す如くポップアップ操作部(20)を左方端から右方端に向けて移動させることにより、ストロボ装置(２)のポップアップユニット(４)を図１及び図２に示す収容位置から図３及び図４に示すポップアップ位置まで上昇させることが出来る。
【００２３】
図５の如く、保持ケース(３)とポップアップユニット(４)の間には、ポップアップユニット(４)を収容位置からポップアップ位置まで付勢するスプリング(61)が介在している。
又、図６の如く、保持ケース(３)の後ケース半体(32)には、前記ポップアップ操作部(20)を具えたスライド部材(５)が左右方向の往復移動が可能に取り付けられおり、該スライド部材(５)と後ケース半体(32)との間には、スライド部材(５)を左方へ付勢するスプリング(６)が介在している。
【００２４】
図８に示す如く、ポップアップユニット(４)のキャビネット(41)の背面には、スライド部材(５)と対応する領域の下部にロック片(42)が突設されると共に、該領域の上部にはカム片(43)が突設されている。
【００２５】
ロック片(42)には、水平の上面(42b)が形成されると共に、スライド部材(５)の移動方向に対して約４５度の傾斜角度を有して右斜め下を向くカム面(42a)が形成されている。
又、カム片(43)には、ポップアップユニット(４)の移動方向に対して約４５度の傾斜角度を有して左斜め下を向くカム面(43a)が形成されている。
【００２６】
一方、図７に示す如く、スライド部材(５)の平板部(51)には、前記ロック片(42)に対応させてロック受け止め片(54)が下向きに突設されると共に、前記カム片(43)に対応させてポップアップ補助片(53)が突設されている。ロック受け止め片(54)には水平の下面(54b)が形成されている。
【００２７】
ロック受け止め片(54)の前面にはカム片(52)が突設され、該カム片(52)には、前記ロック片(42)のカム面(42a)に摺接すべきカム面(52a)が、左斜め上に向けて形成されている。
又、ポップアップ補助片(53)には、前記カム片(43)のカム面(43a)に摺接すべきカム面(53a)が、右斜め上に向けて形成されている。
【００２８】
ポップアップユニット(４)を図１及び図２の如く収容位置に押し込んだ状態では、図９に示す如く、スライド部材(５)のロック受け止め片(54)の下面(54b)がポップアップユニット(４)のロック片(42)の上面(42b)に当接して、ポップアップユニット(４)を前記スプリング(61)の付勢に抗して受け止め、ポップアップユニット(４)を収容位置にロックしている。
この状態で、スライド部材(５)のポップアップ補助片(53)は、ポップアップユニット(４)のカム片(43)から離間している。
【００２９】
この状態からポップアップ操作部(20)を前記スプリング(６)の付勢に抗して右方に移動させると、図１０に示す如く、スライド部材(５)の移動によって、スライド部材(５)のロック受け止め片(54)はポップアップユニット(４)のロック片(42)との摺接状態から離間状態へ移行し、これによってポップアップユニット(４)のロックが解除される。
この状態で、スライド部材(５)のポップアップ補助片(53)はポップアップユニット(４)のカム片(43)と僅かな間隔をおいて近接している。
【００３０】
上述の如くポップアップユニット(４)のロックが解除されることにより、ポップアップユニット(４)は前記スプリング(61)の付勢力によって収容位置からポップアップ位置まで上昇することになる。
【００３１】
ここで、環境温度の変化や落下時の衝撃によるポップアップ機構の変形等によってポップアップユニット(４)が拘束状態に陥っている場合、前記スプリング(61)の付勢力だけではポップアップユニット(４)が上昇しないことがある。
この場合は、図１１の如くポップアップ操作部(20)を押圧してスライド部材(５)を更に右方へ移動させる。これによって、スライド部材(５)のロック受け止め片(54)はポップアップユニット(４)のロック片(42)から更に離間すると共に、スライド部材(５)のポップアップ補助片(53)のカム面(53a)がポップアップユニット(４)のカム片(43)のカム面(43a)に摺接する。
【００３２】
そして、図１２の如くポップアップ操作部(20)を更に押圧してスライド部材(５)を右方へ移動させると、スライド部材(５)のポップアップ補助片(53)のカム面(53a)がポップアップユニット(４)のカム片(43)のカム面(43a)を押圧し、そのカム作用によってポップアップユニット(４)を上方へ押し上げる力が発生する。
【００３３】
この結果、ポップアップユニット(４)は、前記スプリング(61)の付勢力と上述の押し上げ力の両方を受けて、拘束状態から脱出し、収容位置からポップアップ位置へ向けて上昇を開始する。
【００３４】
ポップアップユニット(４)の上昇に伴ってスライド部材(５)のポップアップ補助片(53)のカム面(53a)はポップアップユニット(４)のカム片(43)のカム面(43a)を通過する。
その後、ポップアップユニット(４)は、前記スプリング(61)の付勢力だけで最終的にポップアップ位置まで上昇することになる。
【００３５】
この様にしてポップアップユニット(４)がポップアップ位置まで上昇した後、ポップアップ操作部(20)から手を離すと、スライド部材(５)は前記スプリング(６)の付勢によって左方の移動端まで移動することになる。
【００３６】
この際、ポップアップユニット(４)のカム片(43)はスライド部材(５)のポップアップ補助片(53)よりも十分に高い位置にあるので、ポップアップ補助片(53)がカム片(43)に衝突することはない。
又、ポップアップユニット(４)のロック片(42)はスライド部材(５)のロック受け止め片(54)よりも十分に高い位置にあるので、ロック受け止め片(54)がロック片(42)と衝突することはない。
【００３７】
ストロボ撮影の後はポップアップユニット(４)をポップアップ位置から収容位置まで押し込む。この過程で、ポップアップユニット(４)のロック片(42)のカム面(42a)がスライド部材(５)のロック受け止め片(54)のカム面(52a)に摺接して、そのカム作用によりスライド部材(５)が右方へ押圧される。これによってスライド部材(５)がスプリング(61)の付勢に抗して右方へ移動することにより、ポップアップユニット(４)のロック片(42)のカム面(42a)がスライド部材(５)のロック受け止め片(54)のカム面(52a)を通過することなる。その後、スライド部材(５)がスプリング(６)の付勢により左方へ移動して、元の位置に復帰する。
【００３８】
この結果、図９の如く、スライド部材(５)のロック受け止め片(54)の下面(54b)がポップアップユニット(４)のロック片(42)の上面(42b)に摺接し、ポップアップユニット(４)が収容位置でロックされることになる。
【００３９】
上記カメラによれば、環境温度の変化や落下時の衝撃によるポップアップ機構の変形によってポップアップユニット(４)が拘束状態に陥っていたとしても、ポップアップ操作部(20)の操作によってポップアップユニット(４)を図１及び図２に示す収容位置から図３及び図４に示すポップアップ位置まで確実に上昇させることが出来る。
【００４０】
尚、本発明の各部構成は上記実施の形態に限らず、特許請求の範囲に記載の技術的範囲内で種々の変形が可能である。
又、本発明は、カメラのポップアップ機構に限らず、ポップアップユニットを具えた種々の電子機器に実施することが出来る。
【符号の説明】
【００４１】
(１)  筐体
(２)  ストロボ装置
(３)  保持ケース
(４)  ポップアップユニット
(42)  ロック片
(42a) カム面
(42)  カム片
(43)  カム片
(43a) カム面
(５)  スライド部材
(52)  カム片
(52a) カム片面
(53)  ポップアップ補助片
(53a) カム面
(54)  ロック受け止め片
【図１】
2014044352.tif 000003
【図２】
2014044352.tif 000004
【図３】
2014044352.tif 000005
【図４】
2014044352.tif 000006
【図５】
2014044352.tif 000007
【図６】
2014044352.tif 000008
【図７】
2014044352.tif 000009
【図８】
2014044352.tif 000010
【図９】
2014044352.tif 000011
【図１０】
2014044352.tif 000012
【図１１】
2014044352.tif 000013
【図１２】
2014044352.tif 000014